(57)【特許請求の範囲】
【請求項１】
バッテリーからの電力供給により動作する電子機器において、
前記バッテリーを収納するために前記電子機器の本体の一部に設けられたバッテリー室を覆うバッテリーカバーと、
該バッテリーカバーの一端に設けられ、前記本体と該バッテリーカバーとを係合するロック機構部とを備え、
前記バッテリーカバーは、前記ロック機構部に対して他端に設けられたヒンジ部を回転中心として開閉し、
前記ロック機構部は、ロック軸を中心に回転可能に設けられ、回転操作を行なうためのロックつまみと、前記本体の一部である係止部と係合する係合ツメとを備え、前記ロック機構部の２ヶ所が前記バッテリーカバーの２ヶ所と略同時に当接することにより、前記係止部と前記係合ツメとの係合が外れる方向への回転が停止されることを特徴とする電子機器。
【請求項２】
バッテリーからの電力供給により動作する電子機器において、
前記バッテリーを収納するために前記電子機器の本体の一部に設けられたバッテリー室を覆うバッテリーカバーと、
該バッテリーカバーの一端に設けられ、前記本体と該バッテリーカバーとを係合するロック機構部とを備え、
前記バッテリーカバーは、前記ロック機構部に対して他端に設けられたヒンジ部を回転中心として開閉し、
前記ロック機構部は、ロック軸を中心に回転可能に設けられ、回転操作を行なうためのロックつまみと、前記本体の一部である係止部と係合する係合ツメとを備え、
該係止部と該係合ツメとが係合している状態において、前記ロック機構部の一部と当接することにより該ロック機構部の回転を阻止するスイッチ部材をさらに備えることを特徴とする電子機器。
【請求項３】
前記ロック機構部の一部は、前記ロックつまみであることを特徴とする請求項２記載の電子機器。
【請求項４】
前記スイッチ部材は、前記ロック機構部に対して移動可能であり、
前記ロック機構部は、前記スイッチ部材の移動により前記ロック機構部の回転が阻止されている状態と阻止されていない状態とを移行し、
該移行によりオン・オフ作動するマイクロスイッチをさらに備えることを特徴とする請求項２または３記載の電子機器。
【請求項５】
前記スイッチ部材は、凸形状の第１の凸部を備え、
前記バッテリーカバーは、凸形状の第２の凸部を備え、
前記スイッチ部材の移動による前記ロック機構部の回転が阻止されている状態と阻止されていない状態との移行に際し、前記第１の凸部と前記第２の凸部とは、互いに接触することを特徴とする請求項２乃至４の何れか１項記載の電子機器。
【請求項６】
前記スイッチ部材の移動に伴って移動するジョイント部材をさらに備え、
該ジョイント部材の移動により前記マイクロスイッチをオン・オフ作動させることを特徴とする請求項４または５記載の電子機器。
【請求項７】
前記ジョイント部材の移動に伴って動作する棒状のプローブ部材をさらに備えることを特徴とする請求項６記載の電子機器。
【請求項８】
前記ジョイント部材は、棒状のプローブ部材であることを特徴とする請求項６記載の電子機器。
【請求項９】
バッテリーからの電力供給により動作する電子機器において、
前記バッテリーを収納するために前記電子機器の本体の一部に設けられたバッテリー室を覆うバッテリーカバーと、
該バッテリーカバーが外れる状態になったことを検出して、前記本体へ信号を送るマイクロスイッチと、
前記本体と前記バッテリーカバーとを係合するロック機構部と、
該ロック機構部のロックの解除を阻止する位置と阻止しない位置とに移動可能なスイッチ部材とを備え、
該スイッチ部材が前記ロック機構部のロックの解除を阻止しない位置に移動した場合、この状態を前記マイクロスイッチが検出して前記信号を送ることを特徴とする電子機器。
【発明の詳細な説明】
【０００１】
【発明の属する技術分野】
本発明は、電子機器の本体に対してカバーを開閉可能に構成してなる電子機器筐体に関し、特に、携帯型電子機器のバッテリー室におけるバッテリーカバーの開閉機構に関する。
【０００２】
【従来の技術】
従来、ノート型パソコン、無線電話機、カメラ一体型ＶＴＲ等のようにバッテリーを電源とする携帯型の電子機器においては、電子機器筐体の一部にバッテリー室を設け、このバッテリー室を覆うバッテリーカバーを開閉することによりバッテリー室に収納するバッテリーの交換を行うように構成されている。また、このような電子機器は、バッテリーカバーが電子機器の本体から不用意に外れることがないように、バッテリーカバーと本体とをロックするためのロック機構部を有している。
【０００３】
【発明が解決しようとする課題】
しかしながら、上述のような電子機器は、バッテリーカバーと本体とをロックするためのロック機構部の隙間からバッテリー室へ水等が浸入することにより、バッテリーが破損してしまったり、さらには破損したバッテリーの影響で電子機器自体が破損してしまうことがあるという問題点がある。
【０００４】
図１７は、従来の電子機器の一部分の側面断面図である。
【０００５】
図１７において、電子機器２は、本体１１、バッテリーカバー３１、ロック機構部４１、パッキン部材５１とを備え、バッテリー４からの電力供給により動作する。バッテリー４は、本体１１の一部に設けられたバッテリー室２１に収納され、バッテリーカバー３１がバッテリー室２１を覆うことにより外部から遮蔽されている。バッテリーカバー３１は、本体１１に対して、その一端に設けられたヒンジ部３１７を回転中心にして開閉自在に設置されている。また、本体１１とバッテリーカバー３１とは、バッテリーカバー３１の一端（ヒンジ部３１７の反対側の端）に設けられたロック機構部４１により係合されている。ロック機構部４１は、バッテリーカバー３１に設けられた開口部と本体１１に設けられた開口部とを貫通し、回転あるいはスライド等することにより、バッテリーカバー３１と本体１１とを係合する。パッキン部材５１は、本体１１に対してバッテリーカバー３１を閉じた状態のときに、本体１１とバッテリーカバー３１とが接する部分に設けられ、電子機器２の外部から水等が浸入するのを防ぐ。このパッキン部材５１により水等の浸入はほとんど防ぐことができるが、僅かな水分は、ロック機構部４１をバッテリーカバー３１に貫通させるために設けられた開口部からバッテリー室２１に浸入してしまう。
【０００６】
また、バッテリー室からバッテリーを取り出したり、バッテリーをバッテリー室に収納したりするためには、ロック機構部のロックを解除する操作と、バッテリーカバーの蓋明けの操作との２操作が必要となり、バッテリーの交換等が煩わしいという問題点がある。
【０００７】
また、落下等の衝撃によりロック機構部のロックが解除されてしまい、外れたバッテリーカバー等が破損してしまったり、バッテリーが脱落することにより、処理中のデータやメモリに格納されているデータが消失してしまうという問題点がある。
【０００８】
本発明の目的は、ロック機構部からバッテリー室への水等の浸入を防止し、また、ロック機構部のロックが確実に行なわれるとともにバッテリーカバーの蓋明け操作を容易に行なうことができ、また、バッテリーが外される前に処理中のデータ等を退避させることができるバッテリーカバーの開閉機構を備えた電子機器を提供することにある。
【０００９】
【課題を解決するための手段】
本発明は、上記の課題を解決するため、以下のような手段を採用した。
【００１２】
すなわち、本発明の一態様に係る電子機器は、バッテリーからの電力供給により動作する電子機器であって、上記バッテリーを収納するために上記電子機器の本体の一部に設けられたバッテリー室を覆うバッテリーカバーと、上記バッテリーカバーの一端に設けられ、上記本体と上記バッテリーカバーとを係合するロック機構部とを備え、上記バッテリーカバーは、上記ロック機構部に対して他端に設けられたヒンジ部を回転中心として開閉し、上記ロック機構部は、ロック軸を中心に回転可能に設けられ、回転操作を行なうためのロックつまみと上記本体の一部である係止部と係合する係合ツメとを備え、上記ロック機構部の２ヶ所が上記バッテリーカバーの２ヶ所と略同時に当接することにより、上記係止部と上記係合ツメとの係合が外れる方向への回転が停止されるように構成したものである。
【００１３】
このことにより、１回の操作で、ロック機構部のロック解除と、バッテリーカバーの蓋明けとを行なうことができ、しかも、ロック機構部のロック軸がその軸受けから外れにくい構成が得られる。
【００２２】
また、本発明の他の態様に係る電子機器は、バッテリーからの電力供給により動作する電子機器であって、上記バッテリーを収納するために上記電子機器の本体の一部に設けられたバッテリー室を覆うバッテリーカバーと、上記バッテリーカバーの一端に設けられ、上記本体と上記バッテリーカバーとを係合するロック機構部とを備え、上記バッテリーカバーは、上記ロック機構部に対して他端に設けられたヒンジ部を回転中心として開閉し、上記ロック機構部は、ロック軸を中心に回転可能に設けられ、回転操作を行なうためのロックつまみと上記本体の一部である係止部と係合する係合ツメとを備え、上記係止部と上記係合ツメとが係合している状態において、上記ロック機構部の一部と当接することにより上記ロック機構部の回転を阻止するスイッチ部材をさらに備えるように構成したものである。
このことにより、１回の操作で、ロック機構部のロック解除と、バッテリーカバーの蓋明けとを行なうことができ、しかも、上記スイッチ部材によりロック機構部の回転を阻止しうる構成が得られる。
【００２３】
また、好適には、上記ロック機構部の一部は、上記ロックつまみであることが望ましい。
【００２４】
また、好適には、上記スイッチ部材は、上記ロック機構部に対して移動可能であり、上記ロック機構部は、上記スイッチ部材の移動により上記ロック機構部の回転が阻止されている状態と阻止されていない状態とを移行し、上記移行によりオン・オフ作動するマイクロスイッチをさらに備えることが望ましい。
【００２５】
また、好適には、上記スイッチ部材は、凸形状の第１の凸部を備え、上記バッテリーカバーは、凸形状の第２の凸部を備え、上記スイッチ部材の移動による上記ロック機構部の回転が阻止されている状態と阻止されていない状態との移行に際し、上記第１の凸部と上記第２の凸部とは、互いに接触することが望ましい。
【００２６】
また、好適には、上記スイッチ部材の移動に伴って移動するジョイント部材をさらに備え、上記ジョイント部材の移動により上記マイクロスイッチをオン・オフ作動させることが望ましい。
【００２７】
また、好適には、上記ジョイント部材の移動に伴って動作する棒状のプローブ部材をさらに備えることが望ましい。
【００２８】
また、好適には、上記ジョイント部材は、棒状のプローブ部材であることが望ましい。
【００２９】
また、本発明のさらに他の態様に係る電子機器は、バッテリーからの電力供給により動作する電子機器であって、上記バッテリーを収納するために上記電子機器の本体の一部に設けられたバッテリー室を覆うバッテリーカバーと、上記バッテリーカバーが外れる状態になったことを検出して、上記本体へ信号を送るマイクロスイッチと、上記本体と上記バッテリーカバーとを係合するロック機構部と、上記ロック機構部のロックの解除を阻止する位置と阻止しない位置とに移動可能なスイッチ部材とを備え、上記スイッチ部材が上記ロック機構部のロックの解除を阻止しない位置に移動した場合、この状態を上記マイクロスイッチが検出して上記信号を送るように構成する。
【００３０】
このことにより、バッテリーカバーが外れる状態になったことをスイッチ部材の位置に基づいてマイクロスイッチが検出して本体へ信号を送るため、バッテリー交換時等に処理中のデータやメモリに格納されているデータを自動的に退避し保持しておくので、これらのデータを失うことがない。
【００３３】
【発明の実施の形態】
以下、本発明の実施の形態を、図面を参照しながら詳細に説明する。
【００３４】
図１は、本発明の第１の実施の形態における電子機器の一部分の側面断面図である。
【００３５】
図１において、電子機器１は、本体１０、バッテリーカバー３０、ロック機構部４０、パッキン部材５０とを備え、バッテリー３からの電力供給により動作する。
【００３６】
バッテリー３は、本体１０の一部に設けられたバッテリー室２０に収納され、バッテリーカバー３０がバッテリー室２０を覆うことにより外部から遮蔽されている。バッテリーカバー３０は、本体１０に対して、その一端に設けられたヒンジ部３０７を回転中心にして開閉自在に設置されている。また、本体１０とバッテリーカバー３０とは、バッテリーカバー３０の一端（ヒンジ部３０７の反対側の端）に設けられたロック機構部４０により係合されている。ロック機構部４０は、バッテリーカバー３０に設けられた開口部と本体１０に設けられた開口部とを貫通し、回転あるいはスライド等することにより、バッテリーカバー３０と本体１０とを係合する。
【００３７】
さらに、バッテリーカバー３０は、ロック機構部４０がバッテリー室２０から隔離されるための隔離壁３０１を備えている。そして、パッキン部材５０は、本体１０に対してバッテリーカバー３０を閉じた状態のときに、バッテリー室２０が密閉されるようにバッテリーカバー３０と本体１０との間および隔離壁３０１と本体１０との間に全周囲を取り囲んで設けられ、電子機器１の外部からバッテリー室２０へ水等が浸入するのを防ぐのはもちろんのこと、ロック機構部４０をバッテリーカバー３０に貫通させるために設けられた開口部からバッテリー室２０への浸入をも防いでいる。
【００３８】
このように、隔離壁３０１によりバッテリー室２０がロック機構部４０から隔離され、さらにパッキン部材５０によりバッテリー室２０が密閉されるので、バッテリー室２０への水等の浸入を完全に防ぐことができる。
【００３９】
さらに、本体１０が本体内壁１０２を備えることにより、ロック機構部４０を本体１０に貫通させるために設けられた開口部から本体１０の内部への水等の浸入を防ぐことができる。
【００４０】
次に、図２乃至図１５を用いて本発明の第２の実施の形態を説明する。
【００４１】
図２は、本発明の第２の実施の形態における電子機器の正面断面図である。図２（ａ）は、ロック状態を示しており、図２（ｂ）は、ロック解除状態を示している。
【００４２】
図２において、電子機器１は、本体１０、バッテリーカバー３０、ロック機構部４０、パッキン部材５０、マイクロスイッチ６０を備え、不図示のバッテリーからの電力供給により動作する。
【００４３】
バッテリーカバー３０は、本体１０に対して、その一端に設けられた不図示のヒンジ部を回転中心にして開閉自在に設置されている。また、本体１０とバッテリーカバー３０とは、バッテリーカバー３０の一端（ヒンジ部の反対側の端）に設けられたロック機構部４０により係合されている。ロック機構部４０は、バッテリーカバー３０に設けられた開口部と本体１０に設けられた開口部とを貫通し、ロック軸４０１を中心にして回転することにより、係止部１０１と係合ツメ４０３とが係合している。係止部１０１と係合ツメ４０３は、鉤形状を呈しており、互いに傾斜部分において接している。
【００４４】
一方、バッテリーカバー３０を外すためには、操作者がロックつまみ４０２を図中の上方へ移動させる。そうすることにより、ロック機構部４０は、ロック軸４０１を回転中心として回転する。ロック機構部４０が回転すると、係合ツメ４０３が係止部１０１から外れる（図２（ｂ））。さらに操作者がそのままロックつまみ４０２を上方へ移動させようとすることにより、バッテリーカバー３０が本体１０から離れる。
【００４５】
また、ロック機構部４０は、蒲鉾状のクリック凸部４０４ｂを備えており、バッテリーカバー３０は、Ｕ字状の開口であるＵ字開口部３０３が形成されている。操作者は、バッテリーカバー３０を外すためにロックつまみ４０２を図中の上方へ移動させるようとする。この時操作者は、抵抗力を感じ取る。詳細については、図５および図６を用いて後述する。
【００４６】
また、ロック機構部４０は、突起状のロックストッパー部４０５ａおよびロックストッパー部４０５ｂを備える。ロックストッパー部４０５ａ、４０５ｂとバッテリーカバー３０とが衝突し、ロック軸４０１は軸受けから外れ難くなる。詳細については、図７を用いて後述する。
【００４７】
また、ロックスイッチ部材４０６ａは、図中左右方向にスライドするようバッテリーカバー３０に設けられる。ロック機構部４０がロック状態（図２（ａ））のときに、ロックスイッチ部材４０６ａが図中の左方向にスライドすることで、ロックスイッチ部材４０６ａとロックストッパー部４０５ｂとが当接し、ロック機構部４０の回転を阻止している。詳細については、図８乃至図１１を用いて後述する。
【００４８】
また、ジョイント部材７０は、ロックスイッチ部材４０６ａのスライドに連動してスライドする。操作者がロックスイッチ部材４０６ａをスライドさせることにより、ジョイント部材７０が連動してスライドし、ジョイント部材７０の備える突起状の作動ツメ７０１がマイクロスイッチ６０をオンまたはオフする。マイクロスイッチ６０は、作動ツメ４０７によりオンまたはオフされた場合、電子機器の本体へ信号を送る。
【００４９】
そして、電子機器の本体は、マイクロスイッチ６０がオンまたはオフされたことによりバッテリー室に収納されているバッテリーが外される可能性があるので、送られてきた信号を受信したら、処理中のデータあるいはＲＡＭ等の揮発性メモリに一時的に記憶されているデータをハードディスク等の不揮発性メモリに退避させる。詳細については、図１２乃至図１５を用いて後述する。
【００５０】
図３は、１回の操作でバッテリーカバーを開けることができる機構を説明するための図である。図３（ａ）は、斜視図であり、図３（ｂ）は、正面断面図である。
【００５１】
図３において、電子機器は、本体１０、バッテリーカバー３０、ロック機構部４０を備え、不図示のバッテリーからの電力供給により動作する。
【００５２】
バッテリーカバー３０は、本体１０に対して、その一端に設けられた不図示のヒンジ部を回転中心にして開閉自在に設置されている。また、本体１０とバッテリーカバー３０とは、バッテリーカバー３０の一端（ヒンジ部の反対側の端）に設けられたロック機構部４０により係合されている。ロック機構部４０は、バッテリーカバー３０に設けられた開口部と本体１０に設けられた開口部とを貫通し、ロック軸４０１を中心にして回転することにより、係止部１０１と係合ツメ４０３とが係合している。係止部１０１と係合ツメ４０３とが係合している状態においては、落下等の衝撃により矢印Ａ２の方向に力が加わったとしてもバッテリーカバー３０が外れる可能性は少ない。
【００５３】
一方、バッテリーカバー３０を外すためには、操作者がロックつまみ４０２を矢印Ａ１の方向へ移動させる。そうすることにより、ロック機構部４０は、ロック軸４０１を回転中心として回転する。ロック機構部４０が回転すると、係合ツメ４０３が係止部１０１から外れる。さらに操作者がそのままロックつまみ４０２を矢印Ａ１の方向へ移動させようとすることにより、バッテリーカバー３０が矢印Ａ２の方向へ移動し、バッテリーカバー３０が本体１０から離れる。
【００５４】
このように、操作者は、ロックつまみ４０２を矢印Ａ１の方向へ移動させようとする１回の操作で、ロック機構部４０のロックの解除およびバッテリーカバー３０の蓋明けが行われるので、操作の煩雑性がない。また、ロック機構部４０のロックの解除に引き続いて自然にバッテリーカバー３０の蓋明けが行われるので、ロック機構部４０に無理な力が加わることがなくロック機構部４０を破損する可能性が極めて低くなる。
【００５５】
図４は、係止部および係合ツメの形状の特徴を説明するための正面断面図である。
【００５６】
図４において、係止部１０１および係合ツメ４０３以外の部分は、図３と同様である。すなわち、図４中の係止部１０１および係合ツメ４０３は、鉤形状を呈しており、互いに傾斜部分において接している。
【００５７】
図４（ａ）において、落下等の衝撃により矢印Ｂ２の方向に力が加わったとしても、係止部１０１および係合ツメ４０３が鉤形状を呈しているので、バッテリーカバー３０が外れる可能性は、図３の場合よりさらに少ない。
【００５８】
一方、操作者がロックつまみ４０２を矢印Ｂ１の方向へ移動させることにより（図４（ｂ））、ロック機構部４０がロック軸４０１を回転中心として回転し、係合ツメ４０３が係止部１０１から外れ（図４（ｃ））、さらに操作者がそのままロックつまみ４０２を矢印Ｂ１の方向へ移動させようとすることにより、バッテリーカバー３０が本体１０から離れるのは、図３の場合と全く同じである。
【００５９】
図５は、操作者が操作感を得ることができるロック機構部を説明するための図である。図５（ａ）と図５（ｃ）は、正面断面図であり、図５（ｂ）は、下面断面図である。
【００６０】
図５において、ロック機構部４０は、突起状のクリック凸部４０４ａを備えており、バッテリーカバー３０は、Ｕ字状の開口であるＵ字開口部３０３が形成されることにより、爪状のクリックツメ３０４を備えている。これら以外は、図４と同様である。
【００６１】
図５（ａ）は、ロック機構部４０によりバッテリーカバー３０が本体１０と係合している状態を示しており、図５（ｂ）は、図５（ａ）のＡＡ矢視図で、ロック機構部４０が回転することにより、クリック凸部４０４ａがクリックツメ３０４を乗り越えている状態を示しており、図５（ｃ）は、ロック機構部４０のロックが解除されている状態を示している。
【００６２】
図５（ａ）において、クリック凸部４０４ａは、Ｕ字開口部３０３の一の位置で嵌合しているので、ロック機構部４０は、容易には回転できない。この状態からバッテリーカバー３０を外すためには、操作者がロックつまみ４０２を矢印Ｃ１の方向へ移動させるようとする。この時、クリック凸部４０４ａがクリックツメ３０４と接触するので、操作者は、抵抗力を感じ取る。そのまま操作者がロックつまみ４０２を矢印Ｃ１の方向へ移動させることにより、ロック機構部４０は、ロック軸４０１を回転中心として回転する。
【００６３】
ロック機構部４０が回転することにより、クリック凸部４０４ａがクリックツメ３０４を乗り越えようとし、その乗り越えようとする力により、クリックツメ３０４は、矢印Ｃ２の方向に屈曲させられる（図５（ｂ））。
【００６４】
そして、さらにロック機構部４０が回転すると、係合ツメ４０３が係止部１０１から外れ、クリック凸部４０４ａは、Ｕ字開口部３０３の他の位置で勘合する（図５（ｃ））。
【００６５】
このように、クリック凸部４０４ａがＵ字開口部３０３の一の位置で嵌合している状態から他の位置で勘合している状態に変わる過程において、操作者が抵抗力を感じるので、操作者は、ロックつまみ４０２を操作している実感を強く感じ取ることができ、ロック機構部４０の不完全なロックを防ぎ、バッテリーの脱落を防止することができる。
【００６６】
なお、図５（ｂ）は、Ｕ字開口部３０３が隔離壁３０１側に設けられている。この場合、Ｕ字開口部３０３を覆うポリエステルフィルム等の薄膜を隔離壁３０１のバッテリー室２０側に設けることにより、バッテリー室２０は密閉される。あるいは、Ｕ字開口部３０３をカバー外壁３０２に設けるようにすれば、ポリエステルフィルム等の薄膜は必要無くなる。
【００６７】
図６は、操作者が操作感を得ることができるロック機構部の変形例を説明するための図である。図６（ａ）は、斜視図であり、図６（ｂ）は、図６（ａ）のクリックツメ３０４の周辺を拡大した図である。
【００６８】
図６において、図５と異なる点は、ロック機構部４０が備えるクリック凸部４０４ｂの形状が突起状ではなく蒲鉾状である点と、クリックツメ３０４が蒲鉾状のクリックツメ凸部３０５を備えている点である。
【００６９】
そして、上記のように図５と図６とが異なることにより、クリック凸部４０４ｂは、Ｕ字開口部３０３に勘合する必要はなくなり、図６の場合の操作者は、クリック凸部４０４ｂがクリックツメ凸部３０５を乗り越えることにより、操作感を得ることができる。
【００７０】
図７は、軸受けから外れ難いロック機構部を説明するための図である。
【００７１】
図２乃至図６を用いて上述してきたように、操作者がロックつまみ４０２を操作してロック機構部４０を回転させることにより、係止部１０１と係合ツメ４０３との係合は外れる。この時、操作者がロックつまみ４０２を矢印Ｅ１の方向へさらに移動させようとすると、ロック機構部４０は、図７（ａ）中の矢印Ｘの位置でバッテリーカバー３０と衝突するとともに、てこの原理によりＸの位置を支点にしてロック軸４０１に矢印Ｅ２の方向の力が加わる。この力が強いとロック軸４０１が軸受けから外れてしまうことがある。
【００７２】
そこで、ロック機構部４０に突起状のロックストッパー部４０５ａおよびロックストッパー部４０５ｂを設けた。そうすることにより、ロックストッパー部４０５ａ、４０５ｂとバッテリーカバー３０とは、図７（ｂ）中の矢印ＹおよびＺの位置で衝突し、ロック軸４０１は軸受けから外れ難くなる。なお、ロック機構部４０に設けるのは、ロックストッパー部４０５ａまたはロックストッパー部４０５ｂの何れか一方のみでもよい。この場合、ロック機構部４０がバッテリーカバー３０と衝突する位置は、位置ＹとＸあるいは位置ＺとＸになる。
【００７３】
図８乃至図１１は、ロック機構部の回転を阻止するロックスイッチ部材を説明するための図である。図８乃至図１１は、ロック機構部およびロックスイッチ部材の変形例を示している。また、図８（ａ）、図９（ａ）、図１０（ａ）、図１１（ａ）は、斜視図であり、図８（ｂ）、図９（ｂ）、図１１（ｂ）は、正面断面図であ、図１０（ｂ）は、上面断面図である。
【００７４】
図８乃至図１１の全てにおいて、電子機器は、本体１０、バッテリーカバー３０、ロック機構部４０を備え、図８および図９において、ロックスイッチ部材４０６ａを備え、図１０において、ロックスイッチ部材４０６ｂを備え、図１１において、ロックスイッチ部材４０６ｃを備え、不図示のバッテリーからの電力供給により動作する。
【００７５】
バッテリーカバー３０は、本体１０に対して、その一端に設けられた不図示のヒンジ部を回転中心にして開閉自在に設置されている。また、本体１０とバッテリーカバー３０とは、バッテリーカバー３０の一端（ヒンジ部の反対側の端）に設けられたロック機構部４０により係合されている。ロック機構部４０は、バッテリーカバー３０に設けられた開口部と本体１０に設けられた開口部とを貫通し、ロック軸４０１を中心にして回転することにより、係止部１０１と係合ツメ４０３とが係合している。
【００７６】
図８において、ロックスイッチ部材４０６ａは、図中の矢印Ｆの方向にスライドするようバッテリーカバー３０に設けられる。ロック機構部４０がロック状態のときに、ロックスイッチ部材４０６ａが矢印Ｆの左方向にスライドすることで、ロックスイッチ部材４０６ａとロックストッパー部４０５ｂとが当接し、ロック機構部４０の回転を阻止している。この場合、ロックストッパー部４０５ｂは、図７を用いて説明したようにロック機構部４０が軸受けから外れないようにする役目と、ロック機構部４０が回転しないようにする役目を果たしている。
【００７７】
図９において、ロックスイッチ部材４０６ａは、図中の矢印Ｇの方向にスライドするようバッテリーカバー３０に設けられる。また、ロック機構部４０は、ロック固定部４０９を備える。ロック機構部４０がロック状態のときに、ロックスイッチ部材４０６ａが矢印Ｇの左方向にスライドすることで、ロックスイッチ部材４０６ａとロック固定部４０９とが当接し、ロック機構部４０の回転を阻止している。
【００７８】
図９は、図８と比べ、ロック機構部４０の回転を阻止するためにロック固定部４０９を別に設ける必要がある点が異なっている。言い換えれば、図８は、図９と比べ、軸受けから外れ難くするために設けたロックストッパー部４０５ｂをロック機構部４０の回転を阻止するためにも用いている点が異なっている。
【００７９】
図１０において、ロックスイッチ部材４０６ｂは、図中の矢印Ｈの方向にスライドするようバッテリーカバー３０に設けられる。ロックスイッチ部材４０６ｂをバッテリーカバー３０の内部（図９（ｂ）中の上方向）へ押すことにより、ロック機構部４０の回転が阻止され、逆に外（図９（ｂ）中の下方向）に引き出されることにより、ロック機構部４０が回転可能になる。引き出す場合の機構は、周知のプッシュ式ボタンの機構を適用している。図９に比べ、ロックスイッチ部材のスライドする方向が９０度異なっているだけで、他の構成や原理は同様である。
【００８０】
図１１において、ロックスイッチ部材４０６ｃは、図中の矢印Ｉの方向にスライドするようにバッテリーカバー３０の上面に設けられている。ロックスイッチ部材４０６ｃは、ロックつまみ４０２と当接することでロック機構部４０の回転を阻止している。このような構成をとることにより、図９および図１０のようにロック固定部４０９を設ける必要がなくなる。
【００８１】
図１２は、データ破損の防止を説明するための図である。図１２（ａ）は、斜視図であり、図１２（ｂ）は、正面断面図である。
【００８２】
図１２において、電子機器は、本体１０、バッテリーカバー３０、ロック機構部４０、ロックスイッチ部材４０６ｄ、マイクロスイッチ６０を備え、不図示のバッテリーからの電力供給により動作する。
【００８３】
図１２において、ロックスイッチ部材４０６ｄは、図中の矢印Ｊの方向にスライドするようバッテリーカバー３０に設けられる。また、ロック機構部４０は、ロック固定部４０９を備える。ロック機構部４０がロック状態のときに、ロックスイッチ部材４０６ｄが矢印Ｊの左方向にスライドすることで、ロックスイッチ部材４０６ｄとロック固定部４０９とが当接し、ロック機構部４０の回転を阻止している。さらに、ロックスイッチ部材４０６ｄは、マイクロスイッチ６０をオンまたはオフするための突起状の作動ツメ４０７を備える。マイクロスイッチ６０は、作動ツメ４０７によりオンまたはオフされた場合、電子機器の本体へ信号を送る。
【００８４】
電子機器の本体は、マイクロスイッチ６０がオンまたはオフされたことによりバッテリー室に収納されているバッテリーが外される可能性があるので、送られてきた信号を受信したら、処理中のデータあるいはＲＡＭ等の揮発性メモリに一時的に記憶されているデータをハードディスク等の不揮発性メモリに退避させる。
【００８５】
なお、マイクロスイッチ６０をオンまたはオフするのは、ロックスイッチ部材４０６ｄではなく、直接ロック機構部４０が行なってもよい。例えば、ロック機構部４０がロック軸４０１を中心にして回転することによりロック状態からロック解除状態に移行する際、係合ツメ４０３がマイクロスイッチ６０をオンまたはオフするようにしてもよい。
【００８６】
図１３は、操作者が操作感を得ることができるロックスイッチ部材を説明するための図である。図１３（ａ）は、正面断面図であり、図１３（ｂ）は、図１３（ａ）のスイッチ凸部４０８とカバー凸部３０６の周辺を拡大した図である。
【００８７】
図１３の電子機器が、本体１０、バッテリーカバー３０、ロック機構部４０、ロックスイッチ部材４０６ｄ、マイクロスイッチ６０を備え、マイクロスイッチ６０が、作動ツメ４０７によりオンまたはオフされて電子機器の本体へ信号を送るのは、図１２と同様である。
【００８８】
図１３が図１２と異なるのは、ロックスイッチ部材４０６ｄが凸状のスイッチ凸部４０８を備え、バッテリーカバー３０が凸状のカバー凸部３０６を備えている点である。スイッチ凸部４０８とカバー凸部３０６は、ロックスイッチ部材４０６ｄが矢印Ｋの左方向にスライドすることでロック機構部４０の回転を阻止している状態と、ロックスイッチ部材４０６ｄが矢印Ｋの右方向にスライドすることでロック機構部４０の回転を阻止していない状態との間を移行する際、一方が他方を乗り越えることにより、操作者は、抵抗力を感じ、ロックスイッチ部材４０６ｄを操作している実感を強く感じ取ることができる。
【００８９】
図１４および図１５は、マイクロスイッチの設置場所の応用例を説明するための図である。
【００９０】
図１４において、電子機器は、本体１０、バッテリーカバー３０、ロック機構部４０、ロックスイッチ部材４０６ｅ、ジョイント部材７０、マイクロスイッチ６０を備え、不図示のバッテリーからの電力供給により動作する。
【００９１】
図１４の電子機器が、本体１０、バッテリーカバー３０、ロック機構部４０、ロックスイッチ部材４０６ｄ、マイクロスイッチ６０を備え、マイクロスイッチ６０がオンまたはオフされて電子機器の本体へ信号を送るのは、図１２および図１３と同様である。
【００９２】
図１４が図１２または図１３と異なるのは、ロックスイッチ部材４０６ｅのスライドに連動してスライドするジョイント部材７０を備え、操作者がロックスイッチ部材４０６ｅをスライドさせることにより、ジョイント部材７０が連動してスライドし、ジョイント部材７０の備える突起状の作動ツメ７０１がマイクロスイッチ６０をオンまたはオフする点である。ジョイント部材７０を備えることにより、マイクロスイッチ６０の設置場所に設計的自由度が増す。すなわち、図１２または図１３のようにマイクロスイッチ６０をロックスイッチ部材４０６ｄの近傍に設ける必要がなくなる。また、図１４の電子機器は、さらに弾性機能を有するパッキン部材５０を備えることもできる。パッキン部材５０を備えることにより、ジョイント部材７０を設けたためにロック機構部４０の周辺から浸入してくる水等がマイクロスイッチ６０に達するのを防ぐことができる。
【００９３】
なお、図１４においては、ロックスイッチ部材４０６ｅとジョイント部材７０とが直接当接して連動しているが、ロックスイッチ部材４０６ｅとジョイント部材７０とが共に磁石を有し、本体１０を構成する壁を挟んで磁力により連動するようにしてもよい。
【００９４】
図１５において、電子機器は、さらにプローブ部材８０を備える。プローブ部材８０は、ジョイント部材７０の移動により、マイクロスイッチ６０をオンまたはオフする。あるいは、ジョイント部材７０の代わりにプローブ部材８０を設けてもよい。この場合、ロックスイッチ部材４０６ｅのスライドに連動して直接プローブ部材８０がマイクロスイッチ６０をオンまたはオフする。このような構成をとることにより、マイクロスイッチ６０の設置場所の設計的自由度は、ますます大きくなる。
【００９５】
図１６は、本発明の電子機器の回路構成図である。
【００９６】
図１６において、電子機器１は、画像情報等を取り込むスキャナ９０１、文字情報等の入力または命令等の指示を行なうためのキーボード９０３、取り込んだ画像情報や文字情報等を表示する液晶ディスプレイ９０２、取り込んだ画像情報等のデータや制御プログラム等を記憶するメモリ９０４、メモリカードやＩＳＤＮターミナルアダプタカード等のＰＣカードを接続するＰＣカードインタフェース９０５、プリンタやスピーカ等を接続する拡張インタフェース９０６、光信号を入出力するための光インタフェース９０７、電力の供給を制御する電源部９０８、リチウム（Ｌｉ）２次電池９０９、リチウムイオン（Ｌｉ−ｉｏｎ）電池９１０、マイクロスイッチ９１１、これらの各部を制御する制御部９１２を備える。
【００９７】
以上、本発明の実施の形態について説明してきたたが、本発明は、動作電源としてバッテリーを用いる各種の電子機器に幅広く適用可能なものである。例えば、ハンディターミナル、電子手帳、電子卓上計算機、ノート型パソコン、無線電話機、個別選択呼出受信機、カメラ、カメラ一体型ＶＴＲ、ハンディスキャナー等の電子機器に適用することができる。
【００９８】
【発明の効果】
以上説明してきたように、本発明によれば、バッテリーカバーと本体とをロックするためのロック機構部の隙間からバッテリー室へ水等が浸入することを防ぎ、バッテリーが破損してしまったり、さらには破損したバッテリーの影響で電子機器自体が破損してしまうことを防止することができる。
【００９９】
また、本発明によれば、バッテリー室からバッテリーを取り出したり、バッテリーをバッテリー室に収納したりするために、１回の操作で、ロック機構部のロック解除と、バッテリーカバーの蓋明けとを行なうことができ、バッテリーの交換等の煩わしさを軽減することができる。
【０１００】
また、本発明によれば、バッテリー交換時等に処理中のデータやメモリに格納されているデータを自動的に退避し保持しておくことができる。
【図面の簡単な説明】
【図１】本発明の第１の実施の形態における電子機器の一部分の側面断面図である。
【図２】本発明の第２の実施の形態における電子機器の正面断面図である。
【図３】１回の操作でバッテリーカバーを開けることができる機構を説明するための図である。
【図４】係止部および係合ツメの形状の特徴を説明するための正面断面図である。
【図５】操作者が操作感を得ることができるロック機構部を説明するための図である。
【図６】操作者が操作感を得ることができるロック機構部の変形例を説明するための図である。
【図７】軸受けから外れ難いロック機構部を説明するための図である。
【図８】ロック機構部の回転を阻止するロックスイッチ部材を説明するための図（その１）である。
【図９】ロック機構部の回転を阻止するロックスイッチ部材を説明するための図（その２）である。
【図１０】ロック機構部の回転を阻止するロックスイッチ部材を説明するための図（その３）である。
【図１１】ロック機構部の回転を阻止するロックスイッチ部材を説明するための図（その４）である。
【図１２】データ破損の防止を説明するための図である。
【図１３】操作者が操作感を得ることができるロックスイッチ部材を説明するための図である。
【図１４】マイクロスイッチの設置場所の応用例を説明するための図（その１）である。
【図１５】マイクロスイッチの設置場所の応用例を説明するための図（その２）である。
【図１６】本発明の電子機器の回路構成図である。
【図１７】従来の電子機器の一部分の側面断面図である。
【符号の説明】
１、２  電子機器
３、４  バッテリー
１０、１１  本体
２０、２１  バッテリー室
３０、３１  バッテリーカバー
４０、４１  ロック機構部
５０、５１  パッキン部材
６０  マイクロスイッチ
７０  ジョイント部材
８０  プローブ部材
１０１  係止部
１０２  本体内壁
３０１  隔離壁
３０２  カバー外壁
３０３  Ｕ字開口部
３０４  クリックツメ
３０５  クリックツメ凸部
３０６  カバー凸部
３０７、３１７  ヒンジ部
４０１  ロック軸
４０２  ロックつまみ
４０３  係合ツメ
４０４ａ、４０４ｂ  クリック凸部
４０５ａ、４０５ｂ  ロックストッパー部
４０６ａ、４０６ｂ、４０６ｃ、４０６ｄ、４０６ｅ  ロックスイッチ部材
４０７  作動ツメ
４０８  スイッチ凸部
４０９  ロック固定部
７０１  作動ツメ
９０１  スキャナ
９０２  液晶ディスプレイ
９０３  キーボード
９０４  メモリ
９０５  ＰＣカードインタフェース
９０６  拡張インタフェース
９０７  光インタフェース
９０８  電源部
９０９  リチウム（Ｌｉ）２次電池
９１０  リチウムイオン（Ｌｉ−ｉｏｎ）電池
９１１  マイクロスイッチ
９１２  制御部
【図１】
0003762590.tif 000002
【図２】
0003762590.tif 000003
【図３】
0003762590.tif 000004
【図４】
0003762590.tif 000005
【図５】
0003762590.tif 000006
【図６】
0003762590.tif 000007
【図７】
0003762590.tif 000008
【図８】
0003762590.tif 000009
【図９】
0003762590.tif 000010
【図１０】
0003762590.tif 000011
【図１１】
0003762590.tif 000012
【図１２】
0003762590.tif 000013
【図１３】
0003762590.tif 000014
【図１４】
0003762590.tif 000015
【図１５】
0003762590.tif 000016
【図１６】
0003762590.tif 000017
【図１７】
0003762590.tif 000018